(57)【要約】【課題】本発明はニット帽毛玉取り装置を開示した。【解決手段】本発明のニット帽毛玉取り装置は、主体を含み、前記主体の中には左へ開口する刃チャンバが上下に貫通して設置されており、前記刃チャンバの中には刃装置と蓋装置が設置されており、前記刃チャンバの右側の内壁の中には駆動装置が設置されており、前記駆動装置は歯車機構とベルト伝動機構を含み、前記歯車機構は前記刃チャンバの右側内壁の中に設置されるスライダチャンバを含み、前記スライダチャンバの中にはスライダがスライドできるように設置されており、本発明の装置は操作が簡単で、使用が便利で、刃を収納でき、刃の角度を調整でき、それに刃を素早く交換できる。【選択図】図１
2020147885.tif 000002
【特許請求の範囲】
【請求項１】
ニット帽毛玉取り装置であって、主体を含み、前記主体の中には左へ開口する刃チャンバが上下に貫通して設置されており、前記刃チャンバの中には刃装置と蓋装置が設置されており、前記刃チャンバの右側の内壁の中には駆動装置が設置されており、前記駆動装置は歯車機構とベルト伝動機構を含み、前記歯車機構は前記刃チャンバの右側内壁の中に設置されるスライダチャンバを含み、前記スライダチャンバの中にはスライダがスライドできるように設置されており、前記スライダの前側にはスライド歯車が回転できるように設置されており、前記スライド歯車の中にはモーター軸が固定的に接続され、前記スライダの中にはモーターが固定的に設置されており、前記モーター軸が前記モーターに伝動できるように設置されており、前記スライダチャンバの上側の内壁の中にはロッドチャンバが連通して上に開口して設置されており、前記スライダの上端には接続棒が固定的に接続され、前記接続棒の上端には手動ブロックが固定的に接続され、前記スライダチャンバの下側の内壁の中には歯車チャンバが連通して設置されており、前記歯車チャンバの中には左歯車と右歯車が回転できるように設置されており、前記左歯車と前記右歯車はそれぞれ前記スライド歯車と噛み合え、前記左歯車の中には左回転軸が固定的に接続され、前記左回転軸の前後両端が前記ベルト伝動機構に接続され、前記右歯車の中には右回転軸が固定的に接続され、前記右回転軸の後端が前記ベルト伝動機構に接続される；前記手動ブロックをスライドさせて前記スライダをスライド連動させ、更に前記スライド歯車を前記左歯車又は前記右歯車と噛合連動させ、前記モーターを始動し、歯車伝動によって前記ベルト伝動機構を作動連動させることを特徴とするニット帽毛玉取り装置。
【請求項２】
前記ベルト伝動機構は前記歯車チャンバに連通する前後対称的な左回転軸チャンバを含み、前記左回転軸において中心から離れている一側の内壁の中には短ベルトチャンバが連通して設置されており、前記左回転軸の前後両端はそれぞれ前後両側の前記短ベルトチャンバの中に挿入され、且つ前記左回転軸の前後両端にはそれぞれメインプーリが固定的に接続され、前記段ベルトチャンバの中には副プーリが回転できるように設置されており、前記メインプーリと前記副プーリの間には短歯付ベルトが接続され、両側の前記副プーリの間には中間軸が固定的に接続され、前記中間軸が前記刃装置に接続され、前記歯車チャンバの後側内壁の中には右回転軸チャンバが連通して設置されており、前記右回転軸チャンバの後側内壁の中には長ベルトチャンバが連通して設置されており、前記右回転軸の後端が前記長ベルトチャンバの中に挿入され、且つ小プーリと固定的に接続され、前記長ベルトチャンバの左側内壁の中には大プーリチャンバが連通して設置されており、前記大プーリチャンバの中には大プーリが回転且つスライドできるようにように設置されており、前記大プーリと前記小プーリの間には長歯付ベルトが接続され、前記大プーリの前端には接続軸が固定的に接続され、前記大プーリチャンバの前側内壁の中には前に開口する接続軸チャンバが連通して設置されており、前記接続軸は前記刃装置に接続され、前記大プーリの後端には推し棒が回転できるように接続され、前記推し棒は外部に伸びている；前記左回転軸と前記右回転軸によって前記ベルト伝動機構を駆動して作動させ、更に前記刃装置を駆動できることを特徴とする請求項１に記載のニット帽毛玉取り装置。
【請求項３】
前記刃装置は前記刃チャンバの中に前後に対称的に回転できるように設置されるインストールブロックを含み、前記インストールブロックは前記中間軸に固定的に接続され、前記インストールブロックの中には接続ベルトチャンバが相対に開口して設置されており、前記接続ベルトチャンバの中には接続プーリが左右に対称的に回転できるように設置されており、左右両側の前記接続プーリの間には接続ベルトが接続され、前後両側の前記接続プーリの間には刃軸が固定的に接続され、前記刃軸には刃が固定的に接続され、後側の前記接続ベルトチャンバの後側内壁の中には刃軸チャンバが連通して左右に対称的に設置されており、前記刃軸チャンバは後に開口し、左側の前記刃軸チャンバは前記接続軸チャンバに正対し、前記刃軸は前記刃軸チャンバを通り抜け、前記刃軸の中には接続穴が後に開口して設置される；前記中間軸によって前記インストールブロックを回転連動させ、更にナイフを変更でき、前記推し棒を推して前記接続軸を前記接続穴に噛合させ、更に前記刃軸を連動させ、更に前記刃をねじりだすことを特徴とする請求項１又は請求項２に記載のニット帽毛玉取り装置。
【請求項４】
前記蓋装置は前記刃チャンバの前後内壁の間に回転できるように設置される蓋軸を含み、前記蓋軸には蓋が固定的に接続され、前記蓋の前後両端と前記刃チャンバの前後内壁との間にはねじりばねが固定的に接続され、前記蓋の中には固定ブロックチャンバが前後に貫通して設置されており、前記固定ブロックチャンバの中には固定ブロックが固定的に設置されており、前記固定ブロックの中には撥条チャンバが前後に貫通して設置されており、前記撥条チャンバの中にはロックロッドが前後に対称的にスライドできるように設置されており、前記ロックロッドの間には撥条が固定的に接続され、前記刃チャンバの前後の内壁の中には通穴が対称的にあべこべに開口して設置されており、前記通穴は前記ロックロッドに正対する；前記ロックロッドを内方に推し動かして、前記蓋に前記蓋軸を巡って回転させ、この時前記刃チャンバを開けて前記刃を入れ替えられることを特徴とする請求項１又は請求項2又は請求項３に記載のニット帽毛玉取り装置。
【発明の詳細な説明】
【技術分野】
【０００１】
本発明は服装分野を取り上げて、具体的にはニット帽毛玉取り装置である。
【背景技術】
【０００２】
ニット類服は毛玉が出やすく、特にニット帽はよく髪の毛と接触し、着る感覚に影響を及び、一般的な毛玉取り装置の刃が外に露出され、傷つきやすく、それに毛玉が多くない場合、ニット帽に損傷をつける恐れがあり、そのため、刃を調節できる安全なニット帽毛玉取り装置を設計するのは必要があり、本装置は刃を納められる上に刃の角度を調整でき、素早く刃を切替できる。
【先行技術文献】
【特許文献】
【０００３】
【特許文献１】中国特許出願公開第１０６９４８１１８号明細書
【発明の概要】
【発明が解決しようとする課題】
【０００４】
本発明は解決する技術の問題はニット帽毛玉取り装置を提供して、上記現有技術の問題を解決する。
【課題を解決するための手段】
【０００５】
本発明のニット帽毛玉取り装置は、主体を含み、前記主体の中には左へ開口する刃チャンバが上下に貫通して設置されており、前記刃チャンバの中には刃装置と蓋装置が設置されており、前記刃チャンバの右側の内壁の中には駆動装置が設置されており、前記駆動装置は歯車機構とベルト伝動機構を含み、前記歯車機構は前記刃チャンバの右側内壁の中に設置されるスライダチャンバを含み、前記スライダチャンバの中にはスライダがスライドできるように設置されており、前記スライダの前側にはスライド歯車が回転できるように設置されており、前記スライド歯車の中にはモーター軸が固定的に接続され、前記スライダの中にはモーターが固定的に設置されており、前記モーター軸が前記モーターに伝動できるように設置されており、前記スライダチャンバの上側の内壁の中にはロッドチャンバが連通して上に開口して設置されており、前記スライダの上端には接続棒が固定的に接続され、前記接続棒の上端には手動ブロックが固定的に接続され、前記スライダチャンバの下側の内壁の中には歯車チャンバが連通して設置されており、前記歯車チャンバの中には左歯車と右歯車が回転できるように設置されており、前記左歯車と前記右歯車はそれぞれ前記スライド歯車と噛み合え、前記左歯車の中には左回転軸が固定的に接続され、前記左回転軸の前後両端が前記ベルト伝動機構に接続され、前記右歯車の中には右回転軸が固定的に接続され、前記右回転軸の後端が前記ベルト伝動機構に接続される；前記手動ブロックをスライドさせて前記スライダをスライド連動させ、更に前記スライド歯車を前記左歯車又は前記右歯車と噛合連動させ、前記モーターを始動し、歯車伝動によって前記ベルト伝動機構を作動連動させる。
【０００６】
更なる技術方案、前記ベルト伝動機構は前記歯車チャンバに連通する前後対称的な左回転軸チャンバを含み、前記左回転軸において中心から離れている一側の内壁の中には短ベルトチャンバが連通して設置されており、前記左回転軸の前後両端はそれぞれ前後両側の前記短ベルトチャンバの中に挿入され、且つ前記左回転軸の前後両端にはそれぞれメインプーリが固定的に接続され、前記段ベルトチャンバの中には副プーリが回転できるように設置されており、前記メインプーリと前記副プーリの間には短歯付ベルトが接続され、両側の前記副プーリの間には中間軸が固定的に接続され、前記中間軸が前記刃装置に接続され、前記歯車チャンバの後側内壁の中には右回転軸チャンバが連通して設置されており、前記右回転軸チャンバの後側内壁の中には長ベルトチャンバが連通して設置されており、前記右回転軸の後端が前記長ベルトチャンバの中に挿入され、且つ小プーリと固定的に接続され、前記長ベルトチャンバの左側内壁の中には大プーリチャンバが連通して設置されており、前記大プーリチャンバの中には大プーリが回転且つスライドできるようにように設置されており、前記大プーリと前記小プーリの間には長歯付ベルトが接続され、前記大プーリの前端には接続軸が固定的に接続され、前記大プーリチャンバの前側内壁の中には前に開口する接続軸チャンバが連通して設置されており、前記接続軸は前記刃装置に接続され、前記大プーリの後端には推し棒が回転できるように接続され、前記推し棒は外部に伸びている；前記左回転軸と前記右回転軸によって前記ベルト伝動機構を駆動して作動させ、更に前記刃装置を駆動できる。
【０００７】
更なる技術方案、前記刃装置は前記刃チャンバの中に前後に対称的に回転できるように設置されるインストールブロックを含み、前記インストールブロックは前記中間軸に固定的に接続され、前記インストールブロックの中には接続ベルトチャンバが相対に開口して設置されており、前記接続ベルトチャンバの中には接続プーリが左右に対称的に回転できるように設置されており、左右両側の前記接続プーリの間には接続ベルトが接続され、前後両側の前記接続プーリの間には刃軸が固定的に接続され、前記刃軸には刃が固定的に接続され、後側の前記接続ベルトチャンバの後側内壁の中には刃軸チャンバが連通して左右に対称的に設置されており、前記刃軸チャンバは後に開口し、左側の前記刃軸チャンバは前記接続軸チャンバに正対し、前記刃軸は前記刃軸チャンバを通り抜け、前記刃軸の中には接続穴が後に開口して設置される；前記中間軸によって前記インストールブロックを回転連動させ、更にナイフを変更でき、前記推し棒を推して前記接続軸を前記接続穴に噛合させ、更に前記刃軸を連動させ、更に前記刃をねじりだす。
【０００８】
更なる技術方案、前記蓋装置は前記刃チャンバの前後内壁の間に回転できるように設置される蓋軸を含み、前記蓋軸には蓋が固定的に接続され、前記蓋の前後両端と前記刃チャンバの前後内壁との間にはねじりばねが固定的に接続され、前記蓋の中には固定ブロックチャンバが前後に貫通して設置されており、前記固定ブロックチャンバの中には固定ブロックが固定的に設置されており、前記固定ブロックの中には撥条チャンバが前後に貫通して設置されており、前記撥条チャンバの中にはロックロッドが前後に対称的にスライドできるように設置されており、前記ロックロッドの間には撥条が固定的に接続され、前記刃チャンバの前後の内壁の中には通穴が対称的にあべこべに開口して設置されており、前記通穴は前記ロックロッドに正対する；前記ロックロッドを内方に推し動かして、前記蓋に前記蓋軸を巡って回転させ、この時前記刃チャンバを開けて前記刃を入れ替えられる。
【発明の効果】
【０００９】
本発明の有益な効果は下記の通りである：
【００１０】
本発明は結構が簡単で、操作が便利で、刃の角度を調節してニット帽の毛玉を取り、ニット帽に損傷するのを避け、刃が納められ、安全性を高め、それに素早く刃を入れ替え、錆びて鈍い刃の使用を避ける。
【図面の簡単な説明】
【００１１】
【図１】図１は本発明のニット帽毛玉取り装置の内部結構模式図であり；
【図２】図２は図１の「Ａ−Ａ」の結構模式図であり；
【図３】図３は図１の「Ｂ−Ｂ」の結構模式図であり；
【図４】図４は図1の「Ｃ−Ｃ」の方向の結構模式図であり；
【図５】図５は図1の「Ｄ−Ｄ」の方向の結構模式図である。
【発明を実施するための形態】
【００１２】
以下は図１−５について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−５を参考して、本発明のニット帽毛玉取り装置は、主体を含み、前記主体１１の中には左へ開口する刃チャンバ１６が上下に貫通して設置されており、前記刃チャンバ１６の中には刃装置１０１と蓋装置１０２が設置されており、前記刃チャンバ１６の右側の内壁の中には駆動装置１００が設置されており、前記駆動装置１００は歯車機構１０３とベルト伝動機構１０４を含み、前記歯車機構１０３は前記刃チャンバ１６の右側内壁の中に設置されるスライダチャンバ２１を含み、前記スライダチャンバ２１の中にはスライダ１７がスライドできるように設置されており、前記スライダ１７の前側にはスライド歯車２２が回転できるように設置されており、前記スライド歯車２２の中にはモーター軸２３が固定的に接続され、前記スライダ１７の中にはモーター４４が固定的に設置されており、前記モーター軸２３が前記モーター４４に伝動できるように設置されており、前記スライダチャンバ２１の上側の内壁の中にはロッドチャンバ２０が連通して上に開口して設置されており、前記スライダ１７の上端には接続棒１９が固定的に接続され、前記接続棒１９の上端には手動ブロック１８が固定的に接続され、前記スライダチャンバ２１の下側の内壁の中には歯車チャンバ４５が連通して設置されており、前記歯車チャンバ４５の中には左歯車２９と右歯車２４が回転できるように設置されており、前記左歯車２９と前記右歯車２４はそれぞれ前記スライド歯車２２と噛み合え、前記左歯車２９の中には左回転軸２８が固定的に接続され、前記左回転軸２８の前後両端が前記ベルト伝動機構１０４に接続され、前記右歯車２４の中には右回転軸２５が固定的に接続され、前記右回転軸２５の後端が前記ベルト伝動機構１０４に接続される；前記手動ブロック１８をスライドさせて前記スライダ１７をスライド連動させ、更に前記スライド歯車２２を前記左歯車２９又は前記右歯車２４と噛合連動させ、前記モーター４４を始動し、歯車伝動によって前記ベルト伝動機構１０４を作動連動させる。
【００１４】
有益なように、前記ベルト伝動機構１０４は前記歯車チャンバ４５に連通する前後対称的な左回転軸チャンバ４６を含み、前記左回転軸４６において中心から離れている一側の内壁の中には短ベルトチャンバ３０が連通して設置されており、前記左回転軸２８の前後両端はそれぞれ前後両側の前記短ベルトチャンバ３０の中に挿入され、且つ前記左回転軸２８の前後両端にはそれぞれメインプーリ４９が固定的に接続され、前記段ベルトチャンバ３０の中には副プーリ５１が回転できるように設置されており、前記メインプーリ４９と前記副プーリ５１の間には短歯付ベルト３１が接続され、両側の前記副プーリ５１の間には中間軸３４が固定的に接続され、前記中間軸３４が前記刃装置１０１に接続され、前記歯車チャンバ４５の後側内壁の中には右回転軸チャンバ４７が連通して設置されており、前記右回転軸チャンバ４７の後側内壁の中には長ベルトチャンバ２６が連通して設置されており、前記右回転軸２５の後端が前記長ベルトチャンバ２６の中に挿入され、且つ小プーリ４８と固定的に接続され、前記長ベルトチャンバ２６の左側内壁の中には大プーリチャンバ５５が連通して設置されており、前記大プーリチャンバ５５の中には大プーリ５６が回転且つスライドできるようにように設置されており、前記大プーリ５６と前記小プーリ４８の間には長歯付ベルト２７が接続され、前記大プーリ５６の前端には接続軸５４が固定的に接続され、前記大プーリチャンバ５５の前側内壁の中には前に開口する接続軸チャンバ５３が連通して設置されており、前記接続軸５４は前記刃装置１０１に接続され、前記大プーリ５６の後端には推し棒５７が回転できるように接続され、前記推し棒５７は外部に伸びている；前記左回転軸２８と前記右回転軸２５によって前記ベルト伝動機構１０４を駆動して作動させ、更に前記刃装置１０１を駆動できる。
【００１５】
有益なように、前記刃装置１０１は前記刃チャンバ１６の中に前後に対称的に回転できるように設置されるインストールブロック３８を含み、前記インストールブロック３８は前記中間軸３４に固定的に接続され、前記インストールブロック３８の中には接続ベルトチャンバ３６が相対に開口して設置されており、前記接続ベルトチャンバ３６の中には接続プーリ３２が左右に対称的に回転できるように設置されており、左右両側の前記接続プーリ３２の間には接続ベルト３５が接続され、前後両側の前記接続プーリ３２の間には刃軸３７が固定的に接続され、前記刃軸３７には刃３３が固定的に接続され、後側の前記接続ベルトチャンバ３６の後側内壁の中には刃軸チャンバ５０が連通して左右に対称的に設置されており、前記刃軸チャンバ５０は後に開口し、左側の前記刃軸チャンバ５０は前記接続軸チャンバ５３に正対し、前記刃軸３７は前記刃軸チャンバ５０を通り抜け、前記刃軸３７の中には接続穴が後に開口して設置される；前記中間軸３４によって前記インストールブロック３８を回転連動させ、更にナイフを変更でき、前記推し棒５７を推して前記接続軸５４を前記接続穴５２に噛合させ、更に前記刃軸３７を連動させ、更に前記刃３３をねじりだす。
【００１６】
有益なように、前記蓋装置１０２は前記刃チャンバ１６の前後内壁の間に回転できるように設置される蓋軸１５を含み、前記蓋軸１５には蓋１２が固定的に接続され、前記蓋１２の前後両端と前記刃チャンバ１６の前後内壁との間にはねじりばね４３が固定的に接続され、前記蓋１２の中には固定ブロックチャンバ４２が前後に貫通して設置されており、前記固定ブロックチャンバ４２の中には固定ブロック１３が固定的に設置されており、前記固定ブロック１３の中には撥条チャンバ４１が前後に貫通して設置されており、前記撥条チャンバ４１の中にはロックロッド４０が前後に対称的にスライドできるように設置されており、前記ロックロッド４０の間には撥条１４が固定的に接続され、前記刃チャンバ１６の前後の内壁の中には通穴３９が対称的にあべこべに開口して設置されており、前記通穴３９は前記ロックロッド４０に正対する；前記ロックロッド４０を内方に推し動かして、前記蓋１２に前記蓋軸１５を巡って回転させ、この時前記刃チャンバ１６を開けて前記刃３３を入れ替えられる。
【００１７】
使用する時、前記ロックロッド４０を内方に推し動かして、前記蓋１２に前記蓋軸１５を巡って回転させ、この時前記刃チャンバ１６を開け、手動ブロック１８を推してスライド歯車２２と左歯車２９と噛合連動させ、モーター４４を始動してから歯車伝動とベルト伝動によってインストールブロック３８を回転連動させ、刃３３を入れ替え、蓋１２を閉じてから、手動ブロック１８を推してスライド歯車２２を右歯車２４と噛合連動させ、推し棒５７を推し動かし、更に接続軸５４を接続穴５２に噛合連動させ、モーター４４を始動して歯車伝動とベルト伝動によって刃軸３７を回転連動させ、更に左側の刃３３を連動させて刃チャンバ１６から転がって出させ、この時左側の刃３３によってニット帽の毛玉を取られる。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020147885.tif 000003
【図２】
2020147885.tif 000004
【図３】
2020147885.tif 000005
【図４】
2020147885.tif 000006
【図５】
2020147885.tif 000007
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
ニット帽毛玉取り装置であって、主体を含み、前記主体の中には左へ開口する刃チャンバが上下に貫通して設置されており、前記刃チャンバの中には刃装置と蓋装置が設置されており、前記刃チャンバの右側の内壁の中には駆動装置が設置されており、前記駆動装置は歯車機構とベルト伝動機構を含み、前記歯車機構は前記刃チャンバの右側内壁の中に設置されるスライダチャンバを含み、前記スライダチャンバの中にはスライダがスライドできるように設置されており、前記スライダの前側にはスライド歯車が回転できるように設置されており、前記スライド歯車の中にはモーター軸が固定的に接続され、前記スライダの中にはモーターが固定的に設置されており、前記モーター軸が前記モーターに伝動できるように設置されており、前記スライダチャンバの上側の内壁の中にはロッドチャンバが連通して上に開口して設置されており、前記スライダの上端には接続棒が固定的に接続され、前記接続棒の上端には手動ブロックが固定的に接続され、前記スライダチャンバの下側の内壁の中には歯車チャンバが連通して設置されており、前記歯車チャンバの中には左歯車と右歯車が回転できるように設置されており、前記左歯車と前記右歯車はそれぞれ前記スライド歯車と噛み合え、前記左歯車の中には左回転軸が固定的に接続され、前記左回転軸の前後両端が前記ベルト伝動機構に接続され、前記右歯車の中には右回転軸が固定的に接続され、前記右回転軸の後端が前記ベルト伝動機構に接続され、
前記手動ブロックをスライドさせることにより前記スライダをスライドさせことで、前記スライダのスライドが前記スライド歯車を単独に前記左歯車又は前記右歯車と噛合させることができ、前記モーターを始動し、歯車伝動によって前記ベルト伝動機構を作動連動させ、
前記ベルト伝動機構は前記歯車チャンバに連通する前後対称的な左回転軸チャンバを含み、前記左回転軸において中心から離れている一側の内壁の中には短ベルトチャンバが連通して設置されており、前記左回転軸の前後両端はそれぞれ前後両側の前記短ベルトチャンバの中に挿入され、且つ前記左回転軸の前後両端にはそれぞれメインプーリが固定的に接続され、前記短ベルトチャンバの中には副プーリが回転できるように設置されており、前記メインプーリと前記副プーリの間には短歯付ベルトが接続され、両側の前記副プーリの間には中間軸が固定的に接続され、前記中間軸が前記刃装置に接続され、前記歯車チャンバの後側内壁の中には右回転軸チャンバが連通して設置されており、前記右回転軸チャンバの後側内壁の中には長ベルトチャンバが連通して設置されており、前記右回転軸の後端が前記長ベルトチャンバの中に挿入され、且つ小プーリと固定的に接続され、前記長ベルトチャンバの左側内壁の中には大プーリチャンバが連通して設置されており、前記大プーリチャンバの中には大プーリが回転且つスライドできるように設置されており、前記大プーリと前記小プーリの間には長歯付ベルトが接続され、前記大プーリの前端には接続軸が固定的に接続され、前記大プーリチャンバの前側内壁の中には前に開口する接続軸チャンバが連通して設置されており、前記接続軸は前記刃装置に接続され、前記大プーリの後端には推し棒が回転できるように接続され、前記推し棒は外部に伸びており、
前記左回転軸と前記右回転軸によって前記ベルト伝動機構を駆動して作動させ、更に前記刃装置を駆動でき、
前記刃装置は前記刃チャンバの中に前後に対称的に回転できるように設置されるインストールブロックを含み、前記インストールブロックは前記中間軸に固定的に接続され、前記インストールブロックの中には接続ベルトチャンバが相対に開口して設置されており、前記接続ベルトチャンバの中には接続プーリが左右に対称的に回転できるように設置されており、左右両側の前記接続プーリの間には接続ベルトが接続され、前後両側の前記接続プーリの間には刃軸が固定的に接続され、前記刃軸には刃が固定的に接続され、後側の前記接続ベルトチャンバの後側内壁の中には刃軸チャンバが連通して左右に対称的に設置されており、前記刃軸チャンバは後に開口し、左側の前記刃軸チャンバは前記接続軸チャンバに正対し、前記刃軸は前記刃軸チャンバを通り抜け、前記刃軸の中には接続穴が後に開口して設置され、
前記中間軸によって前記インストールブロックを回転連動させ、更にナイフを変更でき、前記推し棒を推して前記接続軸を前記接続穴に噛合させ、更に前記刃軸を連動させ、更に前記刃の先端を前記刃チャンバの外部まで回転させることを特徴とするニット帽毛玉取り装置。
【請求項２】
前記蓋装置は前記刃チャンバの前後内壁の間に回転できるように設置される蓋軸を含み、前記蓋軸には蓋が固定的に接続され、前記蓋の前後両端と前記刃チャンバの前後内壁との間にはねじりばねが固定的に接続され、前記蓋の中には固定ブロックチャンバが前後に貫通して設置されており、前記固定ブロックチャンバの中には固定ブロックが固定的に設置されており、前記固定ブロックの中には撥条チャンバが前後に貫通して設置されており、前記撥条チャンバの中にはロックロッドが前後に対称的にスライドできるように設置されており、前記ロックロッドの間には撥条が固定的に接続され、前記刃チャンバの前後の内壁の中には通穴が対称的にあべこべに開口して設置されており、前記通穴は前記ロックロッドに正対し、
前記ロックロッドを内方に推し動かして、前記蓋に前記蓋軸を巡って回転させ、この時前記刃チャンバを開けて前記刃を入れ替えられることを特徴とする請求項１に記載のニット帽毛玉取り装置。
【手続補正２】
【補正対象書類名】明細書
【補正対象項目名】全文
【補正方法】変更
【補正の内容】
【発明の詳細な説明】
【技術分野】
【０００１】
本発明は服装分野を取り上げて、具体的にはニット帽毛玉取り装置である。
【背景技術】
【０００２】
ニット類服は毛玉が出やすく、特にニット帽はよく髪の毛と接触し、着る感覚に影響を及び、一般的な毛玉取り装置の刃が外に露出され、傷つきやすく、それに毛玉が多くない場合、ニット帽に損傷をつける恐れがあり、そのため、刃を調節できる安全なニット帽毛玉取り装置を設計するのは必要があり、本装置は刃を納められる上に刃の角度を調整でき、素早く刃を切替できる。
【先行技術文献】
【特許文献】
【０００３】
【特許文献１】中国特許出願公開第１０６９４８１１８号明細書
【発明の概要】
【発明が解決しようとする課題】
【０００４】
本発明は解決する技術の問題はニット帽毛玉取り装置を提供して、上記現有技術の問題を解決する。
【課題を解決するための手段】
【０００５】
本発明のニット帽毛玉取り装置は、主体を含み、前記主体の中には左へ開口する刃チャンバが上下に貫通して設置されており、前記刃チャンバの中には刃装置と蓋装置が設置されており、前記刃チャンバの右側の内壁の中には駆動装置が設置されており、前記駆動装置は歯車機構とベルト伝動機構を含み、前記歯車機構は前記刃チャンバの右側内壁の中に設置されるスライダチャンバを含み、前記スライダチャンバの中にはスライダがスライドできるように設置されており、前記スライダの前側にはスライド歯車が回転できるように設置されており、前記スライド歯車の中にはモーター軸が固定的に接続され、前記スライダの中にはモーターが固定的に設置されており、前記モーター軸が前記モーターに伝動できるように設置されており、前記スライダチャンバの上側の内壁の中にはロッドチャンバが連通して上に開口して設置されており、前記スライダの上端には接続棒が固定的に接続され、前記接続棒の上端には手動ブロックが固定的に接続され、前記スライダチャンバの下側の内壁の中には歯車チャンバが連通して設置されており、前記歯車チャンバの中には左歯車と右歯車が回転できるように設置されており、前記左歯車と前記右歯車はそれぞれ前記スライド歯車と噛み合え、前記左歯車の中には左回転軸が固定的に接続され、前記左回転軸の前後両端が前記ベルト伝動機構に接続され、前記右歯車の中には右回転軸が固定的に接続され、前記右回転軸の後端が前記ベルト伝動機構に接続され、
前記手動ブロックをスライドさせることにより前記スライダをスライドさせることで、前記スライダのスライドが前記スライド歯車を単独に前記左歯車又は前記右歯車と噛合させることができ、前記モーターを始動し、歯車伝動によって前記ベルト伝動機構を作動連動させる。
【０００６】
更なる技術方案、前記ベルト伝動機構は前記歯車チャンバに連通する前後対称的な左回転軸チャンバを含み、前記左回転軸において中心から離れている一側の内壁の中には短ベルトチャンバが連通して設置されており、前記左回転軸の前後両端はそれぞれ前後両側の前記短ベルトチャンバの中に挿入され、且つ前記左回転軸の前後両端にはそれぞれメインプーリが固定的に接続され、前記短ベルトチャンバの中には副プーリが回転できるように設置されており、前記メインプーリと前記副プーリの間には短歯付ベルトが接続され、両側の前記副プーリの間には中間軸が固定的に接続され、前記中間軸が前記刃装置に接続され、前記歯車チャンバの後側内壁の中には右回転軸チャンバが連通して設置されており、前記右回転軸チャンバの後側内壁の中には長ベルトチャンバが連通して設置されており、前記右回転軸の後端が前記長ベルトチャンバの中に挿入され、且つ小プーリと固定的に接続され、前記長ベルトチャンバの左側内壁の中には大プーリチャンバが連通して設置されており、前記大プーリチャンバの中には大プーリが回転且つスライドできるように設置されており、前記大プーリと前記小プーリの間には長歯付ベルトが接続され、前記大プーリの前端には接続軸が固定的に接続され、前記大プーリチャンバの前側内壁の中には前に開口する接続軸チャンバが連通して設置されており、前記接続軸は前記刃装置に接続され、前記大プーリの後端には推し棒が回転できるように接続され、前記推し棒は外部に伸びており、前記左回転軸と前記右回転軸によって前記ベルト伝動機構を駆動して作動させ、更に前記刃装置を駆動できる。
【０００７】
更なる技術方案、前記刃装置は前記刃チャンバの中に前後に対称的に回転できるように設置されるインストールブロックを含み、前記インストールブロックは前記中間軸に固定的に接続され、前記インストールブロックの中には接続ベルトチャンバが相対に開口して設置されており、前記接続ベルトチャンバの中には接続プーリが左右に対称的に回転できるように設置されており、左右両側の前記接続プーリの間には接続ベルトが接続され、前後両側の前記接続プーリの間には刃軸が固定的に接続され、前記刃軸には刃が固定的に接続され、後側の前記接続ベルトチャンバの後側内壁の中には刃軸チャンバが連通して左右に対称的に設置されており、前記刃軸チャンバは後に開口し、左側の前記刃軸チャンバは前記接続軸チャンバに正対し、前記刃軸は前記刃軸チャンバを通り抜け、前記刃軸の中には接続穴が後に開口して設置され、
前記中間軸によって前記インストールブロックを回転連動させ、更にナイフを変更でき、前記推し棒を推して前記接続軸を前記接続穴に噛合させ、更に前記刃軸を連動させ、更に前記刃の先端を前記刃チャンバの外部まで回転させる。
【０００８】
更なる技術方案、前記蓋装置は前記刃チャンバの前後内壁の間に回転できるように設置される蓋軸を含み、前記蓋軸には蓋が固定的に接続され、前記蓋の前後両端と前記刃チャンバの前後内壁との間にはねじりばねが固定的に接続され、前記蓋の中には固定ブロックチャンバが前後に貫通して設置されており、前記固定ブロックチャンバの中には固定ブロックが固定的に設置されており、前記固定ブロックの中には撥条チャンバが前後に貫通して設置されており、前記撥条チャンバの中にはロックロッドが前後に対称的にスライドできるように設置されており、前記ロックロッドの間には撥条が固定的に接続され、前記刃チャンバの前後の内壁の中には通穴が対称的にあべこべに開口して設置されており、前記通穴は前記ロックロッドに正対し、
前記ロックロッドを内方に推し動かして、前記蓋に前記蓋軸を巡って回転させ、この時前記刃チャンバを開けて前記刃を入れ替えられる。
【発明の効果】
【０００９】
本発明の有益な効果は下記の通りである：
【００１０】
本発明は結構が簡単で、操作が便利で、刃の角度を調節してニット帽の毛玉を取り、ニット帽に損傷するのを避け、刃が納められ、安全性を高め、それに素早く刃を入れ替え、錆びて鈍い刃の使用を避ける。
【図面の簡単な説明】
【００１１】
【図１】図１は本発明のニット帽毛玉取り装置の内部結構模式図であり、
【図２】図２は図１の「Ａ−Ａ」の結構模式図であり、
【図３】図３は図１の「Ｂ−Ｂ」の結構模式図であり、
【図４】図４は図１の「Ｃ−Ｃ」の方向の結構模式図であり、
【図５】図５は図１の「Ｄ−Ｄ」の方向の結構模式図である。
【発明を実施するための形態】
【００１２】
以下は図１−５について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−５を参考して、本発明のニット帽毛玉取り装置は、主体を含み、前記主体１１の中には左へ開口する刃チャンバ１６が上下に貫通して設置されており、前記刃チャンバ１６の中には刃装置１０１と蓋装置１０２が設置されており、前記刃チャンバ１６の右側の内壁の中には駆動装置１００が設置されており、前記駆動装置１００は歯車機構１０３とベルト伝動機構１０４を含み、前記歯車機構１０３は前記刃チャンバ１６の右側内壁の中に設置されるスライダチャンバ２１を含み、前記スライダチャンバ２１の中にはスライダ１７がスライドできるように設置されており、前記スライダ１７の前側にはスライド歯車２２が回転できるように設置されており、前記スライド歯車２２の中にはモーター軸２３が固定的に接続され、前記スライダ１７の中にはモーター４４が固定的に設置されており、前記モーター軸２３が前記モーター４４に伝動できるように設置されており、前記スライダチャンバ２１の上側の内壁の中にはロッドチャンバ２０が連通して上に開口して設置されており、前記スライダ１７の上端には接続棒１９が固定的に接続され、前記接続棒１９の上端には手動ブロック１８が固定的に接続され、前記スライダチャンバ２１の下側の内壁の中には歯車チャンバ４５が連通して設置されており、前記歯車チャンバ４５の中には左歯車２９と右歯車２４が回転できるように設置されており、前記左歯車２９と前記右歯車２４はそれぞれ前記スライド歯車２２と噛み合え、前記左歯車２９の中には左回転軸２８が固定的に接続され、前記左回転軸２８の前後両端が前記ベルト伝動機構１０４に接続され、前記右歯車２４の中には右回転軸２５が固定的に接続され、前記右回転軸２５の後端が前記ベルト伝動機構１０４に接続され、
前記手動ブロック１８をスライドさせることにより前記スライダ１７をスライドさせることで、前記スライダ１７のスライドが前記スライド歯車２２を単独に前記左歯車２９又は前記右歯車２４と噛合させることができ、前記モーター４４を始動し、歯車伝動によって前記ベルト伝動機構１０４を作動連動させる。
【００１４】
有益なように、前記ベルト伝動機構１０４は前記歯車チャンバ４５に連通する前後対称的な左回転軸チャンバ４６を含み、前記左回転軸４６において中心から離れている一側の内壁の中には短ベルトチャンバ３０が連通して設置されており、前記左回転軸２８の前後両端はそれぞれ前後両側の前記短ベルトチャンバ３０の中に挿入され、且つ前記左回転軸２８の前後両端にはそれぞれメインプーリ４９が固定的に接続され、前記短ベルトチャンバ３０の中には副プーリ５１が回転できるように設置されており、前記メインプーリ４９と前記副プーリ５１の間には短歯付ベルト３１が接続され、両側の前記副プーリ５１の間には中間軸３４が固定的に接続され、前記中間軸３４が前記刃装置１０１に接続され、前記歯車チャンバ４５の後側内壁の中には右回転軸チャンバ４７が連通して設置されており、前記右回転軸チャンバ４７の後側内壁の中には長ベルトチャンバ２６が連通して設置されており、前記右回転軸２５の後端が前記長ベルトチャンバ２６の中に挿入され、且つ小プーリ４８と固定的に接続され、前記長ベルトチャンバ２６の左側内壁の中には大プーリチャンバ５５が連通して設置されており、前記大プーリチャンバ５５の中には大プーリ５６が回転且つスライドできるように設置されており、前記大プーリ５６と前記小プーリ４８の間には長歯付ベルト２７が接続され、前記大プーリ５６の前端には接続軸５４が固定的に接続され、前記大プーリチャンバ５５の前側内壁の中には前に開口する接続軸チャンバ５３が連通して設置されており、前記接続軸５４は前記刃装置１０１に接続され、前記大プーリ５６の後端には推し棒５７が回転できるように接続され、前記推し棒５７は外部に伸びており、
前記左回転軸２８と前記右回転軸２５によって前記ベルト伝動機構１０４を駆動して作動させ、更に前記刃装置１０１を駆動できる。
【００１５】
有益なように、前記刃装置１０１は前記刃チャンバ１６の中に前後に対称的に回転できるように設置されるインストールブロック３８を含み、前記インストールブロック３８は前記中間軸３４に固定的に接続され、前記インストールブロック３８の中には接続ベルトチャンバ３６が相対に開口して設置されており、前記接続ベルトチャンバ３６の中には接続プーリ３２が左右に対称的に回転できるように設置されており、左右両側の前記接続プーリ３２の間には接続ベルト３５が接続され、前後両側の前記接続プーリ３２の間には刃軸３７が固定的に接続され、前記刃軸３７には刃３３が固定的に接続され、後側の前記接続ベルトチャンバ３６の後側内壁の中には刃軸チャンバ５０が連通して左右に対称的に設置されており、前記刃軸チャンバ５０は後に開口し、左側の前記刃軸チャンバ５０は前記接続軸チャンバ５３に正対し、前記刃軸３７は前記刃軸チャンバ５０を通り抜け、前記刃軸３７の中には接続穴が後に開口して設置され、
前記中間軸３４によって前記インストールブロック３８を回転連動させ、更にナイフを変更でき、前記推し棒５７を推して前記接続軸５４を前記接続穴５２に噛合させ、更に前記刃軸３７を連動させ、更に前記刃３３の先端を前記刃チャンバの外部まで回転させる。
【００１６】
有益なように、前記蓋装置１０２は前記刃チャンバ１６の前後内壁の間に回転できるように設置される蓋軸１５を含み、前記蓋軸１５には蓋１２が固定的に接続され、前記蓋１２の前後両端と前記刃チャンバ１６の前後内壁との間にはねじりばね４３が固定的に接続され、前記蓋１２の中には固定ブロックチャンバ４２が前後に貫通して設置されており、前記固定ブロックチャンバ４２の中には固定ブロック１３が固定的に設置されており、前記固定ブロック１３の中には撥条チャンバ４１が前後に貫通して設置されており、前記撥条チャンバ４１の中にはロックロッド４０が前後に対称的にスライドできるように設置されており、前記ロックロッド４０の間には撥条１４が固定的に接続され、前記刃チャンバ１６の前後の内壁の中には通穴３９が対称的にあべこべに開口して設置されており、前記通穴３９は前記ロックロッド４０に正対し、
前記ロックロッド４０を内方に推し動かして、前記蓋１２に前記蓋軸１５を巡って回転させ、この時前記刃チャンバ１６を開けて前記刃３３を入れ替えられる。
【００１７】
使用する時、前記ロックロッド４０を内方に推し動かして、前記蓋１２に前記蓋軸１５を巡って回転させ、この時前記刃チャンバ１６を開け、手動ブロック１８を推してスライド歯車２２と左歯車２９と噛合連動させ、モーター４４を始動してから歯車伝動とベルト伝動によってインストールブロック３８を回転連動させ、刃３３を入れ替え、蓋１２を閉じてから、手動ブロック１８を推してスライド歯車２２を右歯車２４と噛合連動させ、推し棒５７を推し動かし、更に接続軸５４を接続穴５２に噛合連動させ、モーター４４を始動して歯車伝動とベルト伝動によって刃軸３７を回転連動させ、更に左側の刃３３を連動させて刃チャンバ１６から転がって出させ、この時左側の刃３３によってニット帽の毛玉を取られる。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
ニット帽毛玉取り装置であって、主体を含み、前記主体の中には左へ開口する刃チャンバが上下に貫通して設置されており、前記刃チャンバの中には刃装置と蓋装置が設置されており、前記刃チャンバの右側の内壁の中には駆動装置が設置されており、前記駆動装置は歯車機構とベルト伝動機構を含み、前記歯車機構は前記刃チャンバの右側内壁の中に設置されるスライダチャンバを含み、前記スライダチャンバの中にはスライダがスライドできるように設置されており、前記スライダの前側にはスライド歯車が回転できるように設置されており、前記スライド歯車の中にはモーター軸が固定的に接続され、前記スライダの中にはモーターが固定的に設置されており、前記モーター軸が前記モーターに伝動できるように設置されており、前記スライダチャンバの上側の内壁の中にはロッドチャンバが連通して上に開口して設置されており、前記スライダの上端には接続棒が固定的に接続され、前記接続棒の上端には手動ブロックが固定的に接続され、前記スライダチャンバの下側の内壁の中には歯車チャンバが連通して設置されており、前記歯車チャンバの中には左歯車と右歯車が回転できるように設置されており、前記左歯車と前記右歯車はそれぞれ前記スライド歯車と噛み合え、前記左歯車の中には左回転軸が固定的に接続され、前記左回転軸の前後両端が前記ベルト伝動機構に接続され、前記右歯車の中には右回転軸が固定的に接続され、前記右回転軸の後端が前記ベルト伝動機構に接続され、
前記手動ブロックをスライドさせることにより前記スライダをスライドさせことで、前記スライダのスライドが前記スライド歯車を単独に前記左歯車又は前記右歯車と噛合させることができ、前記モーターを始動し、歯車伝動によって前記ベルト伝動機構を作動連動させ、
前記ベルト伝動機構は前記歯車チャンバに連通する前後対称的な左回転軸チャンバを含み、前記左回転軸において中心から離れている一側の内壁の中には短ベルトチャンバが連通して設置されており、前記左回転軸の前後両端はそれぞれ前後両側の前記短ベルトチャンバの中に挿入され、且つ前記左回転軸の前後両端にはそれぞれメインプーリが固定的に接続され、前記短ベルトチャンバの中には副プーリが回転できるように設置されており、前記メインプーリと前記副プーリの間には短歯付ベルトが接続され、両側の前記副プーリの間には中間軸が固定的に接続され、前記中間軸が前記刃装置に接続され、前記歯車チャンバの後側内壁の中には右回転軸チャンバが連通して設置されており、前記右回転軸チャンバの後側内壁の中には長ベルトチャンバが連通して設置されており、前記右回転軸の後端が前記長ベルトチャンバの中に挿入され、且つ小プーリと固定的に接続され、前記長ベルトチャンバの左側内壁の中には大プーリチャンバが連通して設置されており、前記大プーリチャンバの中には大プーリが回転且つスライドできるように設置されており、前記大プーリと前記小プーリの間には長歯付ベルトが接続され、前記大プーリの前端には接続軸が固定的に接続され、前記大プーリチャンバの前側内壁の中には前に開口する接続軸チャンバが連通して設置されており、前記接続軸は前記刃装置に接続され、前記大プーリの後端には推し棒が回転できるように接続され、前記推し棒は外部に伸びており、
前記左回転軸と前記右回転軸によって前記ベルト伝動機構を駆動して作動させ、更に前記刃装置を駆動でき、
前記刃装置は前記刃チャンバの中に前後に対称的に回転できるように設置されるインストールブロックを含み、前記インストールブロックは前記中間軸に固定的に接続され、前記インストールブロックの中には接続ベルトチャンバが相対に開口して設置されており、前記接続ベルトチャンバの中には接続プーリが左右に対称的に回転できるように設置されており、左右両側の前記接続プーリの間には接続ベルトが接続され、前後両側の前記接続プーリの間には刃軸が固定的に接続され、前記刃軸には刃が固定的に接続され、後側の前記接続ベルトチャンバの後側内壁の中には刃軸チャンバが連通して左右に対称的に設置されており、前記刃軸チャンバは後に開口し、左側の前記刃軸チャンバは前記接続軸チャンバに正対し、前記刃軸は前記刃軸チャンバを通り抜け、前記刃軸の中には接続穴が後に開口して設置され、
前記中間軸によって前記インストールブロックを回転連動させ、更にナイフを変更でき、前記推し棒を推して前記接続軸を前記接続穴に噛合させ、更に前記刃軸を連動させ、更に前記刃の先端を前記刃チャンバの外部まで回転させることを特徴とするニット帽毛玉取り装置。
【請求項２】
前記蓋装置は前記刃チャンバの前後内壁の間に回転できるように設置される蓋軸を含み、前記蓋軸には蓋が固定的に接続され、前記蓋の前後両端と前記刃チャンバの前後内壁との間にはねじりばねが固定的に接続され、前記蓋の中には固定ブロックチャンバが前後に貫通して設置されており、前記固定ブロックチャンバの中には固定ブロックが固定的に設置されており、前記固定ブロックの中には撥条チャンバが前後に貫通して設置されており、前記撥条チャンバの中にはロックロッドが前後に対称的にスライドできるように設置されており、前記ロックロッドの間には撥条が固定的に接続され、前記刃チャンバの前後の内壁の中には通穴が対称的にあべこべに開口して設置されており、前記通穴は前記ロックロッドに正対し、
前記ロックロッドを内方に推し動かして、前記蓋を前記蓋軸を巡って回転させ、この時前記刃チャンバを開けて前記刃を入れ替えられることを特徴とする請求項１に記載のニット帽毛玉取り装置。
【手続補正２】
【補正対象書類名】明細書
【補正対象項目名】全文
【補正方法】変更
【補正の内容】
【発明の詳細な説明】
【技術分野】
【０００１】
本発明は服装分野を取り上げて、具体的にはニット帽毛玉取り装置である。
【背景技術】
【０００２】
ニット類服は毛玉が出やすく、特にニット帽はよく髪の毛と接触し、着る感覚に影響を及び、一般的な毛玉取り装置の刃が外に露出され、傷つきやすく、それに毛玉が多くない場合、ニット帽に損傷をつける恐れがあり、そのため、刃を調節できる安全なニット帽毛玉取り装置を設計するのは必要があり、本装置は刃を納められる上に刃の角度を調整でき、素早く刃を切替できる。
【先行技術文献】
【特許文献】
【０００３】
【特許文献１】中国特許出願公開第１０６９４８１１８号明細書
【発明の概要】
【発明が解決しようとする課題】
【０００４】
本発明は解決する技術の問題はニット帽毛玉取り装置を提供して、上記現有技術の問題を解決する。
【課題を解決するための手段】
【０００５】
本発明のニット帽毛玉取り装置は、主体を含み、前記主体の中には左へ開口する刃チャンバが上下に貫通して設置されており、前記刃チャンバの中には刃装置と蓋装置が設置されており、前記刃チャンバの右側の内壁の中には駆動装置が設置されており、前記駆動装置は歯車機構とベルト伝動機構を含み、前記歯車機構は前記刃チャンバの右側内壁の中に設置されるスライダチャンバを含み、前記スライダチャンバの中にはスライダがスライドできるように設置されており、前記スライダの前側にはスライド歯車が回転できるように設置されており、前記スライド歯車の中にはモーター軸が固定的に接続され、前記スライダの中にはモーターが固定的に設置されており、前記モーター軸が前記モーターに伝動できるように設置されており、前記スライダチャンバの上側の内壁の中にはロッドチャンバが連通して上に開口して設置されており、前記スライダの上端には接続棒が固定的に接続され、前記接続棒の上端には手動ブロックが固定的に接続され、前記スライダチャンバの下側の内壁の中には歯車チャンバが連通して設置されており、前記歯車チャンバの中には左歯車と右歯車が回転できるように設置されており、前記左歯車と前記右歯車はそれぞれ前記スライド歯車と噛み合え、前記左歯車の中には左回転軸が固定的に接続され、前記左回転軸の前後両端が前記ベルト伝動機構に接続され、前記右歯車の中には右回転軸が固定的に接続され、前記右回転軸の後端が前記ベルト伝動機構に接続され、
前記手動ブロックをスライドさせることにより前記スライダをスライドさせることで、前記スライダのスライドが前記スライド歯車を単独に前記左歯車又は前記右歯車と噛合させることができ、前記モーターを始動し、歯車伝動によって前記ベルト伝動機構を作動連動させる。
【０００６】
更なる技術方案、前記ベルト伝動機構は前記歯車チャンバに連通する前後対称的な左回転軸チャンバを含み、前記左回転軸において中心から離れている一側の内壁の中には短ベルトチャンバが連通して設置されており、前記左回転軸の前後両端はそれぞれ前後両側の前記短ベルトチャンバの中に挿入され、且つ前記左回転軸の前後両端にはそれぞれメインプーリが固定的に接続され、前記短ベルトチャンバの中には副プーリが回転できるように設置されており、前記メインプーリと前記副プーリの間には短歯付ベルトが接続され、両側の前記副プーリの間には中間軸が固定的に接続され、前記中間軸が前記刃装置に接続され、前記歯車チャンバの後側内壁の中には右回転軸チャンバが連通して設置されており、前記右回転軸チャンバの後側内壁の中には長ベルトチャンバが連通して設置されており、前記右回転軸の後端が前記長ベルトチャンバの中に挿入され、且つ小プーリと固定的に接続され、前記長ベルトチャンバの左側内壁の中には大プーリチャンバが連通して設置されており、前記大プーリチャンバの中には大プーリが回転且つスライドできるように設置されており、前記大プーリと前記小プーリの間には長歯付ベルトが接続され、前記大プーリの前端には接続軸が固定的に接続され、前記大プーリチャンバの前側内壁の中には前に開口する接続軸チャンバが連通して設置されており、前記接続軸は前記刃装置に接続され、前記大プーリの後端には推し棒が回転できるように接続され、前記推し棒は外部に伸びており、前記左回転軸と前記右回転軸によって前記ベルト伝動機構を駆動して作動させ、更に前記刃装置を駆動できる。
【０００７】
更なる技術方案、前記刃装置は前記刃チャンバの中に前後に対称的に回転できるように設置されるインストールブロックを含み、前記インストールブロックは前記中間軸に固定的に接続され、前記インストールブロックの中には接続ベルトチャンバが相対に開口して設置されており、前記接続ベルトチャンバの中には接続プーリが左右に対称的に回転できるように設置されており、左右両側の前記接続プーリの間には接続ベルトが接続され、前後両側の前記接続プーリの間には刃軸が固定的に接続され、前記刃軸には刃が固定的に接続され、後側の前記接続ベルトチャンバの後側内壁の中には刃軸チャンバが連通して左右に対称的に設置されており、前記刃軸チャンバは後に開口し、左側の前記刃軸チャンバは前記接続軸チャンバに正対し、前記刃軸は前記刃軸チャンバを通り抜け、前記刃軸の中には接続穴が後に開口して設置され、
前記中間軸によって前記インストールブロックを回転連動させ、更にナイフを変更でき、前記推し棒を推して前記接続軸を前記接続穴に噛合させ、更に前記刃軸を連動させ、更に前記刃の先端を前記刃チャンバの外部まで回転させる。
【０００８】
更なる技術方案、前記蓋装置は前記刃チャンバの前後内壁の間に回転できるように設置される蓋軸を含み、前記蓋軸には蓋が固定的に接続され、前記蓋の前後両端と前記刃チャンバの前後内壁との間にはねじりばねが固定的に接続され、前記蓋の中には固定ブロックチャンバが前後に貫通して設置されており、前記固定ブロックチャンバの中には固定ブロックが固定的に設置されており、前記固定ブロックの中には撥条チャンバが前後に貫通して設置されており、前記撥条チャンバの中にはロックロッドが前後に対称的にスライドできるように設置されており、前記ロックロッドの間には撥条が固定的に接続され、前記刃チャンバの前後の内壁の中には通穴が対称的にあべこべに開口して設置されており、前記通穴は前記ロックロッドに正対し、
前記ロックロッドを内方に推し動かして、前記蓋を前記蓋軸を巡って回転させ、この時前記刃チャンバを開けて前記刃を入れ替えられる。
【発明の効果】
【０００９】
本発明の有益な効果は下記の通りである：
【００１０】
本発明は結構が簡単で、操作が便利で、刃の角度を調節してニット帽の毛玉を取り、ニット帽に損傷するのを避け、刃が納められ、安全性を高め、それに素早く刃を入れ替え、錆びて鈍い刃の使用を避ける。
【図面の簡単な説明】
【００１１】
【図１】図１は本発明のニット帽毛玉取り装置の内部結構模式図であり、
【図２】図２は図１の「Ａ−Ａ」の結構模式図であり、
【図３】図３は図１の「Ｂ−Ｂ」の結構模式図であり、
【図４】図４は図１の「Ｃ−Ｃ」の方向の結構模式図であり、
【図５】図５は図１の「Ｄ−Ｄ」の方向の結構模式図である。
【発明を実施するための形態】
【００１２】
以下は図１−５について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−５を参考して、本発明のニット帽毛玉取り装置は、主体を含み、前記主体１１の中には左へ開口する刃チャンバ１６が上下に貫通して設置されており、前記刃チャンバ１６の中には刃装置１０１と蓋装置１０２が設置されており、前記刃チャンバ１６の右側の内壁の中には駆動装置１００が設置されており、前記駆動装置１００は歯車機構１０３とベルト伝動機構１０４を含み、前記歯車機構１０３は前記刃チャンバ１６の右側内壁の中に設置されるスライダチャンバ２１を含み、前記スライダチャンバ２１の中にはスライダ１７がスライドできるように設置されており、前記スライダ１７の前側にはスライド歯車２２が回転できるように設置されており、前記スライド歯車２２の中にはモーター軸２３が固定的に接続され、前記スライダ１７の中にはモーター４４が固定的に設置されており、前記モーター軸２３が前記モーター４４に伝動できるように設置されており、前記スライダチャンバ２１の上側の内壁の中にはロッドチャンバ２０が連通して上に開口して設置されており、前記スライダ１７の上端には接続棒１９が固定的に接続され、前記接続棒１９の上端には手動ブロック１８が固定的に接続され、前記スライダチャンバ２１の下側の内壁の中には歯車チャンバ４５が連通して設置されており、前記歯車チャンバ４５の中には左歯車２９と右歯車２４が回転できるように設置されており、前記左歯車２９と前記右歯車２４はそれぞれ前記スライド歯車２２と噛み合え、前記左歯車２９の中には左回転軸２８が固定的に接続され、前記左回転軸２８の前後両端が前記ベルト伝動機構１０４に接続され、前記右歯車２４の中には右回転軸２５が固定的に接続され、前記右回転軸２５の後端が前記ベルト伝動機構１０４に接続され、
前記手動ブロック１８をスライドさせることにより前記スライダ１７をスライドさせることで、前記スライダ１７のスライドが前記スライド歯車２２を単独に前記左歯車２９又は前記右歯車２４と噛合させることができ、前記モーター４４を始動し、歯車伝動によって前記ベルト伝動機構１０４を作動連動させる。
【００１４】
有益なように、前記ベルト伝動機構１０４は前記歯車チャンバ４５に連通する前後対称的な左回転軸チャンバ４６を含み、前記左回転軸４６において中心から離れている一側の内壁の中には短ベルトチャンバ３０が連通して設置されており、前記左回転軸２８の前後両端はそれぞれ前後両側の前記短ベルトチャンバ３０の中に挿入され、且つ前記左回転軸２８の前後両端にはそれぞれメインプーリ４９が固定的に接続され、前記短ベルトチャンバ３０の中には副プーリ５１が回転できるように設置されており、前記メインプーリ４９と前記副プーリ５１の間には短歯付ベルト３１が接続され、両側の前記副プーリ５１の間には中間軸３４が固定的に接続され、前記中間軸３４が前記刃装置１０１に接続され、前記歯車チャンバ４５の後側内壁の中には右回転軸チャンバ４７が連通して設置されており、前記右回転軸チャンバ４７の後側内壁の中には長ベルトチャンバ２６が連通して設置されており、前記右回転軸２５の後端が前記長ベルトチャンバ２６の中に挿入され、且つ小プーリ４８と固定的に接続され、前記長ベルトチャンバ２６の左側内壁の中には大プーリチャンバ５５が連通して設置されており、前記大プーリチャンバ５５の中には大プーリ５６が回転且つスライドできるように設置されており、前記大プーリ５６と前記小プーリ４８の間には長歯付ベルト２７が接続され、前記大プーリ５６の前端には接続軸５４が固定的に接続され、前記大プーリチャンバ５５の前側内壁の中には前に開口する接続軸チャンバ５３が連通して設置されており、前記接続軸５４は前記刃装置１０１に接続され、前記大プーリ５６の後端には推し棒５７が回転できるように接続され、前記推し棒５７は外部に伸びており、
前記左回転軸２８と前記右回転軸２５によって前記ベルト伝動機構１０４を駆動して作動させ、更に前記刃装置１０１を駆動できる。
【００１５】
有益なように、前記刃装置１０１は前記刃チャンバ１６の中に前後に対称的に回転できるように設置されるインストールブロック３８を含み、前記インストールブロック３８は前記中間軸３４に固定的に接続され、前記インストールブロック３８の中には接続ベルトチャンバ３６が相対に開口して設置されており、前記接続ベルトチャンバ３６の中には接続プーリ３２が左右に対称的に回転できるように設置されており、左右両側の前記接続プーリ３２の間には接続ベルト３５が接続され、前後両側の前記接続プーリ３２の間には刃軸３７が固定的に接続され、前記刃軸３７には刃３３が固定的に接続され、後側の前記接続ベルトチャンバ３６の後側内壁の中には刃軸チャンバ５０が連通して左右に対称的に設置されており、前記刃軸チャンバ５０は後に開口し、左側の前記刃軸チャンバ５０は前記接続軸チャンバ５３に正対し、前記刃軸３７は前記刃軸チャンバ５０を通り抜け、前記刃軸３７の中には接続穴が後に開口して設置され、
前記中間軸３４によって前記インストールブロック３８を回転連動させ、更にナイフを変更でき、前記推し棒５７を推して前記接続軸５４を前記接続穴５２に噛合させ、更に前記刃軸３７を連動させ、更に前記刃３３の先端を前記刃チャンバの外部まで回転させる。
【００１６】
有益なように、前記蓋装置１０２は前記刃チャンバ１６の前後内壁の間に回転できるように設置される蓋軸１５を含み、前記蓋軸１５には蓋１２が固定的に接続され、前記蓋１２の前後両端と前記刃チャンバ１６の前後内壁との間にはねじりばね４３が固定的に接続され、前記蓋１２の中には固定ブロックチャンバ４２が前後に貫通して設置されており、前記固定ブロックチャンバ４２の中には固定ブロック１３が固定的に設置されており、前記固定ブロック１３の中には撥条チャンバ４１が前後に貫通して設置されており、前記撥条チャンバ４１の中にはロックロッド４０が前後に対称的にスライドできるように設置されており、前記ロックロッド４０の間には撥条１４が固定的に接続され、前記刃チャンバ１６の前後の内壁の中には通穴３９が対称的にあべこべに開口して設置されており、前記通穴３９は前記ロックロッド４０に正対し、
前記ロックロッド４０を内方に推し動かして、前記蓋１２を前記蓋軸１５を巡って回転させ、この時前記刃チャンバ１６を開けて前記刃３３を入れ替えられる。
【００１７】
使用する時、前記ロックロッド４０を内方に推し動かして、前記蓋１２を前記蓋軸１５を巡って回転させ、この時前記刃チャンバ１６を開け、手動ブロック１８を推してスライド歯車２２と左歯車２９と噛合連動させ、モーター４４を始動してから歯車伝動とベルト伝動によってインストールブロック３８を回転連動させ、刃３３を入れ替え、蓋１２を閉じてから、手動ブロック１８を推してスライド歯車２２を右歯車２４と噛合連動させ、推し棒５７を推し動かし、更に接続軸５４を接続穴５２に噛合連動させ、モーター４４を始動して歯車伝動とベルト伝動によって刃軸３７を回転連動させ、更に左側の刃３３を連動させて刃チャンバ１６から転がって出させ、この時左側の刃３３によってニット帽の毛玉を取られる。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。